(57)【特許請求の範囲】
【請求項１】
ペットの胴回りに巻きつけられて装着されるペット用吸収性物品であって、該ペット用吸収性物品は、
液透過性の表面シートと、
液不透過性の裏面層と、
前記表面シート及び前記裏面層の間に配置される吸収体と、
前記ペット用吸収性物品の長手方向において互いに対向する第１端部及び第２端部と、
前記ペット用吸収性物品の幅方向において互いに対向する第１側部及び第２側部と、
前記第１端部の近傍に、該ペット用吸収性物品の幅方向に沿って配置される係合部材と、
前記第２端部の近傍であって、ペットの胴回りに巻きつけられた状態において少なくとも前記係合部材の長手方向の中央部に対向する位置に配置され前記係合部材に係合可能な第１被係合部と、
前記第２端部の近傍であって、ペットの胴回りに巻きつけられた状態において少なくとも前記係合部材の長手方向の一方の端部に対向する位置に配置され、前記第１被係合部の前記係合部材に対する係合力よりも弱い係合力で前記係合部材に係合可能な第２被係合部と、を備えるペット用吸収性物品。
【請求項２】
前記第２被係合部は、前記係合部材の両端部のうちの一方の端部のみに対向するように形成されている請求項１に記載のペット用吸収性物品。
【請求項３】
前記第２被係合部は、前記ペットの体の前方側となる前記係合部材の前記端部に対向するように形成されている請求項２に記載のペット用吸収性物品。
【請求項４】
前記第２被係合部は、前記係合部材の両端部のそれぞれに対向する一対の第２被係合部を有する請求項１に記載のペット用吸収性物品。
【請求項５】
前記一対の第２被係合部は、前記係合部材に対する異なる係合力を有する請求項４に記載のペット用吸収性物品。
【請求項６】
前記ペットの体の前側となる第２被係合部は、前記ペットの体の後側となる第２被係合部よりも弱い前記係合部材に対する係合力を有する請求項５に記載のペット用吸収性物品。
【請求項７】
前記第１側部における前記表面シート側に配置されると共に、前記表面シート又は前記裏面層に接合される外側縁及び少なくとも一部が自由端となった内側縁を有する第１サイドシートと、
前記第２側部における前記表面シート側に配置されると共に、前記表面シート又は前記裏面層に接合される外側縁及び少なくとも一部が自由端となった内側縁を有する第２サイドシートと、を更に備え、
前記第２被係合部は、前記第１サイドシート及び／又は第２サイドシートにより構成されている請求項１〜６のいずれか１項に記載のペット用吸収性物品。
【請求項８】
前記第１及び第２サイドシートは、不織布を含み、前記第１シートを構成する前記不織布の種類及び／又は密度は、前記第２シートを構成する前記不織布と異なっている請求項７に記載のペット用吸収性物品。
【請求項９】
前記表面シート及び前記第１及び／又は第２サイドシートは、不織布を含み、前記表面シートを構成する前記不織布の種類及び／又は密度は、前記第１及び／又は第２サイドシートを構成する前記不織布と異なっている請求項７又は８に記載のペット用吸収性物品。
【請求項１０】
前記第１サイドシートの内側縁は、前記ペット用吸収性物品の長手方向の全長に亘って自由端となると共に、該第１サイドシートの内側縁側は、前記第１端部及び前記第２端部において前記ペット用吸収性物品の幅方向の外側に折り返し可能に構成され、
前記第２サイドシートの内側縁は、前記第１端部及び前記第２端部において前記表面シートに接合され、
前記第２被係合部は、前記第２サイドシートにより構成される請求項７〜９のいずれか１項に記載のペット用吸収性物品。
【請求項１１】
前記係合部材は、複数のフック部を有するフックテープにより構成されると共に前記第１端部の近傍の前記裏面層側に配置され、
前記第１被係合部は、前記表面シートにより構成される請求項１〜１０のいずれか１項に記載のペット用吸収性物品。
【請求項１２】
前記第２端部の近傍における前記裏面層側に配置され前記係合部材に係合可能なループ部材を更に備え、
前記裏面層は、前記係合部材に係合可能な不織布を含んで構成され、
前記係合部材は、複数のフック部を有するフックテープにより構成されると共に前記第１端部の近傍の前記表面シート側に配置され、
前記第１被係合部は、前記ループ部材により構成され、
前記第２被係合部は、前記裏面層により構成される請求項１〜１０のいずれか１項に記載のペット用吸収性物品。
【発明の詳細な説明】
【技術分野】
【０００１】
本発明は、ペット用吸収性物品に関する。
【背景技術】
【０００２】
犬やネコ等のペットに用いられるペット用使い捨ておむつが、発明者等に知られている。このようなペット用使い捨ておむつは、装着状態において、ペットの肛門部及び後足の付け根間に位置する尿道口を覆うことで、ペットの糞及び尿を捕捉している。
【０００３】
ところで、ペットの種類（例えば、胴長短足犬であるミニチュアダックスフンド）によっては、尿道口の位置が後足の付け根間よりも前方に位置する場合がある。また、雄犬は、雌犬に比して、尿道口が前方に位置する。このように、尿道口が後足の付け根間よりも前方に位置するペットに、ペット用使い捨ておむつを装着した場合には、おむつから尿道口が露出してしまい、ペットの尿がもれてしまう場合があった。
そこで、帯状に構成され、ペットの胴回り部に巻きつけて装着されるペット用吸収性物品が提案されている（例えば、特許文献１参照）。
このような、帯状に構成されたペット用吸収性物品によれば、尿道口の位置にかかわらず、確実に尿道口を覆って装着させられる。
【０００４】
ペット用吸収性物品は、例えば、以下の手順でペットに装着される。
まず、ペット用吸収性物品の長手方向の一端側に位置する第１端部領域をペットの背中に位置させて、この第１端部領域を装着者の片方の手で押さえることで、第１端部領域をペットの背中に沿わせる。次いで、第１端部領域を一方の手で押さえたまま、ペット用吸収性物品の他端側に位置する第２端部領域を他方の手で持って、ペット用吸収性物品がペットの腹側を覆うように巻きつける。次いで、ペット用吸収性物品の第２端部領域を引っ張って、ペット用吸収性物品の長手方向に沿う側部と、ペットの胴回りとを密着させ、この状態で、ペット用吸収性物品の第２端部領域の内面を第１端部領域の外面に係合させる。これにより、ペット用吸収性物品がペットの胴回りに好適に巻きつけられた状態が保持される。
【０００５】
ここで、ペット用吸収性物品における第１端部領域と第２端部領域とは、第１端部領域の外面に配置されたフック部材を第２端部領域の内面に設けられたループ部材に係合させたり、第１端部領域の外面に粘着テープを配置して、この粘着テープに第２端部領域の内面を粘着させたりすることで係合される。
【発明の概要】
【発明が解決しようとする課題】
【０００６】
しかしながら、フック部材や粘着テープを係合させる第２端部を構成する不織布の係合力が強すぎると、第２端部に係る不織布からフック部材や粘着テープを外し難くなる。その結果、取り外しの際に第２端部に係る不織布を破損してしまい、吸収体が露出する等の不具合を生じる場合がある。その一方、前述の不織布の係合力が弱すぎると、ペットの装着状態でペットが動いた際に第１端部が第２端部から外れてしまう。
【課題を解決するための手段】
【０００７】
本発明のいくつかの実施形態によれば、ペット用吸収性物品は、ペットの胴回りに巻きつけられて装着される。ペット用吸収性物品は、液透過性の表面シートと、液不透過性の裏面層と、前記表面シート及び前記裏面層の間に配置される吸収体と、前記ペット用吸収性物品の長手方向において互いに対向する第１端部及び第２端部と、前記ペット用吸収性物品の幅方向において互いに対向する第１側部及び第２側部と、前記第１端部の近傍に、該ペット用吸収性物品の幅方向に沿って配置される係合部材と、前記第２端部の近傍であって、ペットの胴回りに巻きつけられた状態において少なくとも前記係合部材の長手方向の中央部に対向する位置に配置され前記係合部材に係合可能な第１被係合部と、前記第２端部の近傍であって、ペットの胴回りに巻きつけられた状態において少なくとも前記係合部材の長手方向の一方の端部に対向する位置に配置され、前記第１被係合部の前記係合部材に対する係合力よりも弱い係合力で前記係合部材に係合可能な第２被係合部と、を備える。
【図面の簡単な説明】
【０００８】
【図１】本発明の第１実施形態に係るペット用吸収性物品を示す斜視図である。
【図２】第１実施形態のペット用吸収性物品を表面シート側から視た平面図である。
【図３】第１実施形態のペット用吸収性物品を裏面層側から視た平面図である。
【図４】図２のＡ−Ａ線断面図である。
【図５】図１のＢ−Ｂ線断面図である。
【図６】図２のＣ−Ｃ線断面図である。
【図７】図２のＤ−Ｄ線断面図である。
【図８】第１実施形態のペット用吸収性物品をペットに装着する過程を示す図であり、第１端部をペットの背中に位置させた状態を示す図である。
【図９】第１実施形態のペット用吸収性物品をペットに装着する過程を示す図であり、ペットの胴回りに巻いたペット用吸収性物品の第２端部を引っ張って、ペット用吸収性物品をペットの胴回りに密着させる様子を示す図である。
【図１０】ペット用吸収性物品をペットの胴回りに装着した状態を示す図である。
【図１１】第１実施形態に係るペット用吸収性物品の製造方法において形成された連続体を示す平面図である。
【図１２】第１実施形態に係るペット用吸収性物品の製造方法において、折り曲げられた構成を示す平面図である。
【図１３】本発明の第２実施形態に係るペット用吸収性物品を表面シート側から視た平面図である。
【図１４】本発明の第３実施形態に係るペット用吸収性物品を表面シート側から視た平面図である。
【図１５】本発明の第３実施形態に係るペット用吸収性物品を裏面層側から視た平面図である。
【発明を実施するための形態】
【０００９】
以下、本発明のペット用吸収性物品の好ましい各実施形態について、図面を参照しながら説明する。
まず、第１実施形態のペット用吸収性物品について、図１〜図７を参照しながら説明する。
【００１０】
第１実施形態のペット用吸収性物品１は、図１及び図２に示すように、互いに対向する第１端部１１及び第２端部１２と、これら第１端部１１及び第２端部１２に直交し互いに対向する第１側部としての後側側部１７及び第２側部としての前側側部１８と、を有して矩形形状に構成され、ペットの胴回り部に巻きつけて装着される。このペット用吸収性物品１は、尿道口が後足の付け根間よりも前方に位置するペット（例えば、ミニチュアダックスフンド等の胴長短足犬）に特に好適に用いられる。
【００１１】
また、ペット用吸収性物品１は、図１〜図７に示すように、液透過性の表面シート２と、液不透過性の裏面層３を構成する裏面シート３１及び防水シート３２と、吸収体４と、第１サイドシート５１及び第２サイドシート５２により構成される一対のサイドシート５１，５２と、第１弾性部材６１と、第２弾性部材６２と、係合部材としてのフックテープ７と、を備える。
【００１２】
表面シート２は、矩形形状に構成される。この表面シート２は、主として、装着対象のペットの身体に当接する側の面を構成する。表面シート２としては、有孔又は無孔の不織布や多孔性プラスティックシートを用いることができる。第１実施形態では、表面シート２は、後述するフックテープ７と好適に係合させる観点から、不織布により構成されることが好ましい。表面シート２には、エアスルー不織布が用いられる。表面シート２を構成する不織布の密度は０．０１ｇ／ｃｍ３〜１．０ｇ／ｃｍ３の範囲である。
【００１３】
裏面シート３１は、図４〜図６に示すように、表面シート２よりも幅広で、表面シート２と略等しい長さの矩形形状に構成される。裏面シート３１は、ペット用吸収性物品１の反身体側の面を構成する。
防水シート３２は、裏面シート３１よりも幅狭に構成され、裏面シート３１における表面シート２側の面に配置される。
裏面シート３１及び防水シート３２としては、疎水性の不織布、不透水性のプラスティックフィルム、不織布と不透水性プラスティックフィルムとのラミネートシート、スパンボンド不織布、耐水性の高いメルトブローン不織布を強度の強いスパンボンド不織布で挟んだＳＭＳ不織布等を用いることができる。裏面シート３１及び防水シート３２を構成する不織布の密度は０．００１ｇ／ｃｍ３〜０．３ｇ／ｃｍ３の範囲である。
【００１４】
吸収体４は、図５及び図７に示すように、重ね合わせられた表面シート２及び裏面層３の間に介在配置される。吸収体４は、図２及び図３に示すように、表面シート２及び裏面シート３１よりも幅が狭く、かつ、長さの短い矩形形状に構成される。吸収体４は、図２及び図３に示すように、平面視において、表面シート２及び裏面シート３１の幅方向の略中央部に、長手方向の一端側から他端側に亘って配置される。吸収体４としては、フラッフ状パルプ及び高吸収ポリマーを、ティッシュ等のコアラップ材により被覆したものを用いることができる。
吸収体４に用いられるフラッフ状パルプとしては、例えば、化学パルプ、セルロース繊維、レーヨン、アセテート等の人工セルロース繊維が挙げられる。高吸収ポリマーとしては、デンプン系、アクリル酸系、アミノ酸系の粒子状又は繊維状のポリマーが挙げられる。
【００１５】
一対のサイドシート５１，５２は、図２に示すように、ペット用吸収性物品１の長手方向ＬＤに沿った細長い矩形形状に構成され、表面シート２上の後側側部１７及び前側側部１８にそれぞれ配置される。一対のサイドシート５１，５２の長さは、表面シート２及び裏面シート３１の長さと略等しく構成される。一対のサイドシート５１，５２の外側縁は、図４〜図６に示すように、裏面シート３１の側縁の位置と一致している。一対のサイドシート５１，５２の外側縁側は、裏面シート３１の側部に接合されている。
【００１６】
一対のサイドシート５１，５２の内側縁の少なくとも一部は、図１及び図５に示すように、自由端となっている。より具体的には、一対のサイドシート５１，５２は、後側側部１７に配置される第１サイドシート５１と、前側側部１８に配置される第２サイドシート５２と、を備える。ここで、後側側部１７は、ペット用吸収性物品１をペットに装着する場合に、ペットの身体の後側に配置される側の側部であり、前側側部１８は、ペット用吸収性物品１をペットに装着する場合に、ペットの身体の前側に配置される側部である。
【００１７】
第１サイドシート５１の内側縁は、図４〜図６に示すように、ペット用吸収性物品１の長手方向ＬＤの全長に亘って表面シート２とは接合されていない。つまり、第１サイドシート５１の内側縁は、ペット用吸収性物品１の長手方向ＬＤの全長に亘って自由端となる。また、この第１サイドシート５１の内側縁側は、図４及び図６に示すように、第１端部１１及び第２端部１２において、ペット用吸収性物品１の幅方向ＷＤの外側に折り返されている。
【００１８】
第２サイドシート５２の内側縁は、図４及び図６に示すように、第１端部１１及び第２端部１２において、ホットメルト接着剤Ｈによって表面シート２に接合されている。そして、第２サイドシート５２の内側縁は、図５に示すように、第２サイドシート５２における長手方向ＬＤの一端部及び他端部を除く部分において、自由端となっている。
【００１９】
第１サイドシート５１及び第２サイドシート５２としては、撥水性又は疎水性を有するものが好ましく用いられ、具体的には、スパンレース不織布、スパンボンド不織布、サーマルボンド不織布、メルトブローン不織布、ＳＭＳ不織布、ニードルパンチ不織布、エアスルー不織布等の各種不織布を用いることができる。不織布を構成する素材繊維としてはポリエチレン又はポリプロピレン等のオレフィン系、ポリエステル系、ポリアミド系等の合成繊維の他、レーヨンやキュプラ等の再生繊維、綿等の天然繊維を用いることができる。本実施形態では、第１サイドシート５１及び第２サイドシートとして、ＳＭＳ不織布が用いられる。第１サイドシート５１及び第２サイドシート５２を構成する不織布の密度は、０．００１ｇ／ｃｍ３〜０．３ｇ／ｃｍ３の範囲である。
【００２０】
第１弾性部材６１は、図１から図３に示すように、第１サイドシート５１及び第２サイドシート５２それぞれの内側縁近傍に配置される。より具体的には、第１弾性部材６１は、図５に示すように、内側縁側で折り返されたサイドシートの間に挟まれると共に、ホットメルト接着剤（図示せず）により伸長状態でサイドシートに固定される。第１弾性部材６１は、図２に示すように、伸長状態において、吸収体４の長手方向の長さよりも長い長さで第１サイドシート５１及び第２サイドシート５２に配置される。
【００２１】
第２弾性部材６２は、図１から図３に示すように、前側側部１８及び後側側部１７それぞれに配置される。より具体的には、第２弾性部材６２は、図５に示すように、第１サイドシート５１と裏面シート３１との間、及び第２サイドシート５２と裏面シート３１との間にそれぞれ配置される。また、第２弾性部材６２は、伸長状態で、ホットメルト接着剤により、サイドシート５１，５２及び裏面シート３１に固定される。
第２弾性部材６２は、伸長状態において、吸収体４の長手方向の長さよりも長い長さで前側側部１８及び後側側部１７それぞれに配置される。
【００２２】
第１弾性部材６１及び第２弾性部材６２としては、細長く、伸び縮みする材料であればよく、天然ゴムからなる糸状ゴム、平ゴム等や、ウレタン、エチレン−酢酸ビニル共重合体（ＥＶＡ）、ＰＥ等の熱可塑性エラストマーを用いることができる。更に具体的には、熱可塑性エラストマーとしては、ポリブタジエン、ポリイソプレン、スチレン−ブタジエン共重合体、スチレン−イソプレン共重合体、ポリウレタン、エチレン−酢酸ビニル共重合体、エチレン−αオレフィン共重合体等を糸状に成形するか又はフィルムに成型し細幅にスリットしたものが挙げられる。
【００２３】
フックテープ７は、図１〜図３に示すように、ペット用吸収性物品１の第１端部１１の近傍に配置される。第１実施形態では、フックテープ７は、第１端部１１の外面、つまり第１端部１１における裏面シート３１側に配置される。フックテープ７は、矩形形状に構成され、フックテープ７の長手方向がペット用吸収性物品１の幅方向ＷＤに沿うように配置される。また、フックテープ７は、第１端部１１の側縁から所定の距離内側に離間した位置に取り付けられる。
フックテープ７は、ペット用吸収性物品１がペットの胴回りに巻きつけられた状態において、表面シート２及び第２サイドシート５２が第２端部１２の近傍で係合可能な長さに構成される。
フックテープ７は、図４に示すように、帯状の基部７１と、この基部７１の一方の面に設けられる複数のフック部７２と、を備える。フックテープ７は、複数のフック部７２が形成された面が外面となるように、裏面シート３１に取り付けられる。
【００２４】
第１被係合部２１及び第２被係合部２２は、図１から図３に示すように、第２端部１２の近傍における表面シート２側に位置する部分であって、ペットの胴回りに巻きつけられた状態においてフックテープ７に係合可能な領域を構成する部分である。
【００２５】
第１被係合部２１は、図１〜図３に示すように、ペット用吸収性物品１がペットの胴回りに巻きつけられた状態において、少なくともフックテープ７の長手方向（ペット用吸収性物品１の幅方向）の中央部に対向する位置に配置された矩形領域の部分である。この第１被係合部２１は、表面シート２により構成される。
第１被係合部２１におけるペット用吸収性物品１の幅方向ＷＤに沿う方向の長さＷ１は、ペット用吸収性物品１をペットに装着させる場合に、第１端部１１と第２端部１２との係合状態を良好に維持する観点から、好ましくはフックテープ７の長手方向の長さＷ２の６５％〜９５％である。
【００２６】
第２被係合部２２は、ペット用吸収性物品１がペットの胴回りに巻きつけられた状態において、第２端部１２の近傍におけるフックテープ７の長手方向の少なくとも一方の端部に対向する位置に配置された矩形領域の部分である。この第２被係合部２２は、第１サイドシート５１又は第２サイドシート５２により構成される。第１実施形態では、第２被係合部２３は、図３に示すように、第２端部１２の近傍における前側側部１８側のみに形成され、第２サイドシート５２により構成される。
【００２７】
第２被係合部２２は、第１被係合部２１のフックテープ７に対する係合力よりも弱い係合力でフックテープ７に係合可能に構成される。第１実施形態では、フックテープ７に対する第１被係合部２１及び第２被係合部２２の各係合力の差を生じさせるため、第１被係合部２１及び第２被係合部２２として、表面シート２及び第２サイドシート５２を構成する不織布の種類や不織布の密度が変更されている。
【００２８】
上述の通り、表面シート２の密度は０．０１ｇ／ｃｍ３〜１．０ｇ／ｃｍ３の範囲であり、第２サイドシート５２の密度は０．００１ｇ／ｃｍ３〜０．３ｇ／ｃｍ３の範囲である。このように、第２サイドシート５２の密度の方が、小さくなるように構成されている。なお、表面シート２、裏面シート３１、第１サイドシート５１及び第２サイドシート５２の密度は、各シートを１０ｃｍＸ１０ｃｍの試験片に切断し、重量及び無荷重時の厚さを、雰囲気２０度、６５％ＲＨで測定して求めた。また、重量及び厚さの測定値は、試験片１０枚を測定した値の平均により求めた。
【００２９】
ここで、係合力は、以下の方法で求められる。まず、フックテープを試験片として２５ｍｍｘ６０ｍｍでカットする。次に、フックテープの端部から１０ｍｍをチャックでつまむ。次に、フックテープを係合させる被着体であるサイドシート又は表面シートを、ステンレスパネルに両面テープで貼り付ける。フックテープを被着体に重ねた状態で、その上から７００ｇの圧着ローラを３００ｍｍ／ｍｉｎの速度で往復させ、圧着する。上述のステンレス板を島津製作所製のオートグラフに取り付け、ステンレス板とフックテープとの剥離角度が１３５度となるようにフックテープの端部を引っ張って剥離する。このとき、係合が外れる瞬間の値を係合力（Ｎ）として測定し、これをフックテープの幅寸法（本測定では、２５ｍｍ）で割って、係合強度とする（Ｎ／２５ｍｍ(テープ幅)）。フックテープの剥離は、チャックと試験片（フックテープ）との垂直方向の距離１０ｍｍ、引っ張り速度３００ｍｍ／ｍｉｎ、雰囲気２０度、６５％ＲＨ下で行う。
上記で求めた試験片の係合強度に、実施形態におけるサイドシート５２等の幅をかけた値が、本実施形態における係合力である。
【００３０】
第２被係合部２２におけるペット用吸収性物品１の幅方向ＷＤに沿う方向の長さＷ３は、ペットの胴回りに装着したペット用吸収性物品１の取り外しを容易に行う観点から、好ましくはフックテープ７の長手方向の長さＷ２の５％〜３５％である。
【００３１】
以上のペット用吸収性物品１は、第１弾性部材６１がペット用吸収性物品１の長手方向ＬＤに沿って伸長状態で第１サイドシート５１及び第２サイドシート５２に固定されている。また、第２弾性部材６２がペット用吸収性物品１の長手方向ＬＤに沿って伸長状態でサイドシート５１，５２と裏面シート３１との間に固定されている。
そのため、ペット用吸収性物品１は、自然状態（外力を付加しない状態）では、第１弾性部材６１及び第２弾性部材６２が収縮して、図１に示すように、表面シート２側が内面を構成するように第１端部１１と第２端部１２とが近づいた立体的な形状となる。これにより、後側側部１７及び前側側部１８に、長手方向ＬＤに伸縮可能な一対の胴回りギャザー部１３が形成される（図１参照）。
【００３２】
また、第１サイドシート５１及び第２サイドシート５２における自由端側において、主として、第１弾性部材６１が配置された部分が立ち上がる。これにより、第１サイドシート５１により第１立体ギャザー部１４が形成され、第２サイドシート５２により第２立体ギャザー部１５が形成される（図５参照）。
【００３３】
ここで、第１立体ギャザー部１４を構成する第１サイドシート５１の内側縁は、ペット用吸収性物品１の長手方向ＬＤの全長に亘って表面シート２とは接合されていない。また、この第１サイドシート５１の内側縁側は、図４及び図６に示すように、第１端部１１及び第２端部１２において、ペット用吸収性物品１の幅方向ＷＤの外側に折り返されて接合されている。これにより、第１立体ギャザー部１４（第１サイドシート５１）は、自由端側が立ち上がった状態から、ペット用吸収性物品１の幅方向ＷＤの外側に倒れやすく構成される（図５参照）。
【００３４】
一方、第２立体ギャザー部１５を構成する第２サイドシート５２の内側縁側は、第１端部１１及び第２端部１２において表面シート２に接合されており、これら第１端部１１及び第２端部１２を除く部分が自由端となって構成されている。これにより、第２立体ギャザー部１５（第２サイドシート５２）は、自由端側が立ち上がった状態から、ペット用吸収性物品１の幅方向ＷＤの内側に倒れやすく構成される。
【００３５】
次に、第１実施形態のペット用吸収性物品１をペットに取り付ける手順について、図８〜図１１を参照しながら説明する。図８〜図１０は、第１実施形態のペット用吸収性物品１をペットに装着する過程を示す図であり、図８は、第１端部１１をペットの背中に位置させた状態を示す図である。図９は、ペットの胴回りに巻いたペット用吸収性物品１の第２端部１２を引っ張って、ペット用吸収性物品１をペットの胴回りに密着させる様子を示す図であり、図１０は、ペット用吸収性物品１をペットの胴回りに装着した状態を示す図である。
【００３６】
まず、図８に示すように、ペット用吸収性物品１の第１端部１１をペットの背中に位置させて、この第１端部１１の近傍を装着者の片方の手で押さえる。次いで、第１端部１１の近傍を片方の手で押さえたまま、ペット用吸収性物品１の第２端部１２を他方の手で持って、ペット用吸収性物品１をペットの腹側を覆うように巻きつける。
【００３７】
次いで、図９に示すように、第２端部１２を上方に引っ張って、一対の胴回りギャザー部１３をペットの胴回りに密着させた後、図１０及び図１〜図３に示すように、第２端部１２の内面に配置された第１被係合部２１及び第２被係合部２２を、第１端部１１の外面に配置されたフックテープ７に係合させる。これにより、ペット用吸収性物品１は、第１立体ギャザー部１４が外側に倒れた状態で、ペットの胴回りに巻きつけられる。
【００３８】
次に、第１実施形態のペット用吸収性物品１の製造方法について、図１１及び１２を参照しながら説明する。図１１及び図１２は、ペット用吸収性物品１の製造方法におけるそれぞれの工程の平面図を示す。
【００３９】
まず、ペット用吸収性物品１の連続体１００が形成される。より具体的には、帯状の表面シート２００と帯状の裏面層３００との間に、長手方向に所定間隔をあけて複数の吸収体４が配置される。
【００４０】
帯状の裏面層３００の上において、吸収体４が内部に配置されていない位置に、フックテープ７が取り付けられる。
【００４１】
次に、帯状の表面シート２００の一対の側部に帯状の第１サイドシート５１０及び帯状の第２サイドシート５２０が配置される。帯状の第１サイドシート５１０及び第２サイドシート５２０の内側部には、予め第１弾性部材６１が伸張した状態で配置され、帯状の第１サイドシート５１０及び第２サイドシート５２０の内側部を内側に折り返し、接着剤により接着して固定されている。
【００４２】
帯状の第１サイドシート５１０の内側縁は、ペット用吸収性物品１の連続体１００の幅方向外側に折り返される。
【００４３】
帯状の第２サイドシート５２０の内側部と帯状の表面シート２００とは、後に連続体１００を個々のペット用吸収性物品１に切断する際、切断する位置Ｃの近傍において、ホットメルト接着剤Ｈにより接合される。
【００４４】
なお、第１実施形態では、第１被係合部２１は第２端部側の表面シートの一部により構成され、第２被係合部２２は、サイドシート５２により構成されるため、第１被係合部２１及び第２被係合部２２を形成するための別の部材を取り付ける必要はない。
【００４５】
図４及び１１に示すように、帯状の第１サイドシート５１０の外側部及び帯状の第２サイドシート５２０の外側部は、帯状の裏面層３００の外側部及び帯状の表面シート２００の外側部に接合される。このとき、帯状の表面シート２００の幅方向外側において、帯状の第１サイドシート５１０の外側部と帯状の裏面層３００との間、及び帯状の第２サイドシート５２０の外側部と帯状の裏面層３００との間に、第２弾性部材６２がそれぞれ配置された状態で接着される（図５参照）。
【００４６】
次に、図１２に示すように、帯状の第１サイドシート５１０及び帯状の第２サイドシート５２０が幅方向に折り重ねられるように、ペット用吸収性物品の連続体１００の側部が帯状の表面シート２００側に折り返される。より具体的には、ペット用吸収性物品の連続体１００における前側側部１８及び後側側部１７が、帯状の表面シート２００側に折り返される。
【００４７】
図１２に示すように、折り返されたペット用吸収性物品の連続体１００は、長手方向に所定間隔をあけて幅方向に切断される。
【００４８】
切断されて形成されたペット用吸収性物品は、表面シート２が対向するように長手方向に二つ折りされる。そして、二つ折りされたペット用吸収性物品１は、複数枚が積層された状態で包装袋に収容される（図示せず）。
【００４９】
以上説明した第１実施形態のペット用吸収性物品１によれば、以下のような作用効果を奏する。
【００５０】
（１）ペット用吸収性物品１を、フックテープ７に対して所定の係合力で係合可能な第１被係合部２１と、この第１被係合部２１のフックテープ７に対する係合力よりも弱い係合力でフックテープ７に係合可能な第２被係合部２２と、を含んで構成した。第１被係合部２１を、フックテープ７の長手方向（幅方向ＷＤ）の中央部に対向する位置に配置し、第２被係合部２２を、フックテープ７の長手方向（幅方向ＷＤ）の少なくとも一方の端部に対向する位置に配置した。これにより、ペットの胴体に巻きつけたペット用吸収性物品１の第１端部１１から第２端部１２を取り外す場合に、第２被係合部２２の弱い係合力を利用して第２端部１２を容易に取り外すことができる。また、第１被係合部２１の強い係合力を利用して、ペット用吸収性物品１をペットの胴体に巻きつけた場合にペット用吸収性物品１の第１端部１１から第２端部１２が容易に外れることを防止することができる。よって、ペットへの装着状態でペットが動いても第１端部と第２端部との係合が容易に外れず、かつ、ペットからペット用吸収性物品１を取り外す際には、第１端部と第２端部との係合を解除しやすい。
【００５１】
（２）フックテープ７を第１端部１１の裏面シート３１側（外面）に配置し、このフックテープ７を、第２端部１２の近傍における表面シート２側（内面）に係合可能に構成した。これにより、表面シート２を構成する不織布の密度や種類と、第２サイドシート５２を構成する不織布の密度や種類とを異ならせることで、第１被係合部２１を表面シート２により構成し、第２被係合部２２を第２サイドシート５２により構成できる。よって、別個独立の部材を配置することなく、第１被係合部２１及び第２被係合部２２を備えるペット用吸収性物品１を構成できる。
【００５２】
（３）第１サイドシート５１の内側縁を自由端とし、第１端部１１及び第２端部１２においてペット用吸収性物品１の幅方向ＷＤの外側に折り返し可能に構成した。また、第２サイドシート５２の内側縁を第１端部１１及び第２端部１２において表面シート２に接合した。これにより、第１サイドシート５１が外側に折り返された状態でペット用吸収性物品１がペットの胴体に装着されるので、第２被係合部２２は第２サイドシート５２側のみに形成される。つまり、第１サイドシート５１側には第１被係合部２１のみが配置され、第２被係合部２２は、配置されない。ここで、後側側部１７側となる第１サイドシート５１側は、動きの激しい後ろ足側である。そのため、第１サイドシート５１側の係合力を強くさせつつ、動きの激しくない前側側部１８側となる第２サイドシート５２側の係合力を弱くすることができる。その結果、ペット用吸収性物品１の剥がしやすさと外れにくさを両立させることができる。
【００５３】
次に、本発明の第２実施形態に係るペット用吸収性物品１について、図１３を参照しながら説明する。図１３は、第２実施形態のペット用吸収性物品１を表面シート２側から示す平面図である。
尚、第２実施形態以降の説明にあたって、同一構成要件については同一符号を付し、その説明を省略もしくは簡略化する。
【００５４】
第２実施形態のペット用吸収性物品１は、主として、第２被係合部２２の配置において、第１実施形態と異なる。
第２実施形態では、図１３に示すように、第２被係合部２２は、ペット用吸収性物品１の幅方向ＷＤにおける第１被係合部２１の両外側に一対配置される。一対の第２被係合部２２は、それぞれ、第１サイドシート５１及び第２サイドシート５２により構成される。
【００５５】
表面シート２は、親水性不織布により構成され、第１サイドシート５１及び第２サイドシート５２は、疎水性不織布により構成される。また、第２実施形態では、フックテープ７に対する第１サイドシート５１及び第２サイドシート５２の各係合力の差を生じさせるため、第１サイドシート５１及び第２サイドシート５２を構成する不織布の種類や不織布の密度が変更されている。つまり、第２被係合部２２であっても、それを構成する部材が第１サイドシート５１か第２サイドシート５２かによってフックテープ７に対する係合力が異なる。
【００５６】
第２実施形態では、前側側部１８側である第２サイドシート５２側の第２被係合部２２は、後側側部１７側である第１サイドシート５１側の第２被係合部２２のフックテープ７に対する係合力よりも弱い係合力でフックテープ７に係合可能に構成される。即ち、第１サイドシート５１として、第２サイドシート５２よりも密度が小さい不織布が用いられている。
【００５７】
第２実施形態のように、第２被係合部２２が第１被係合部２１の両外側にそれぞれ設けられる場合には、第１被係合部２１におけるペット用吸収性物品１の幅方向ＷＤに沿う方向の長さＷ１は、好ましくはフックテープ７の長手方向の長さＷ２の３０％〜９０％である。
【００５８】
第２実施形態のペット用吸収性物品１によれば、上述した（１）及び（２）の効果を奏する他、以下のような作用効果を奏する。
【００５９】
（４）第２被係合部２２を第１被係合部２１の両端部に配置した。これにより、ペットの胴体に巻きつけたペット用吸収性物品１の第１端部１１から第２端部１２を取り外す場合に、後側側部１７及び前側側部１８の両方から第２端部１２を容易に取り外すことができる。
【００６０】
（５）第１サイドシート５１を構成する不織布の種類と、第２サイドシート５２を構成する不織布の種類とを異ならせた。これにより、第１サイドシート５１により構成される第２被係合部２２のフックテープ７に対する係合力と、第２サイドシート５２により構成される第２被係合部２２のフックテープ７に対する係合力とを異ならせられる。よって、第２被係合部２２を２つ設けた場合であっても、動きの激しい後側側部１７やそうでない前側側部１８等の各部位の動きに応じて、第２被係合部２２のフックテープ７に対する係合力を適宜調整できる。
【００６１】
次に、本発明の第３実施形態に係るペット用吸収性物品１について、図１４及び図１５を参照しながら説明する。図１４は、第３実施形態のペット用吸収性物品１を表面シート２側から示す平面図である。図１５は、第３実施形態のペット用吸収性物品１を裏面層３側から示す平面図である。
【００６２】
第３実施形態のペット用吸収性物品１は、主として、フックテープ７並びに第１被係合部２１及び第２被係合部２２の配置において、第１実施形態及び第２実施形態と異なる。
第３実施形態では、図１４及び図１５に示すように、フックテープ７は、第１端部１１の近傍の表面シート２側に配置される。また、第１被係合部２１及び第２被係合部２２は、第２端部１２の近傍の裏面層３側に配置される。
また、第３実施形態では、裏面シート３１は、フックテープ７に係合可能な不織布により構成される。
【００６３】
第３実施形態では、第２端部１２の近傍における裏面シート３１側には、フックテープ７に係合可能なループ部材としてのループテープ２３が配置されている。そして、このループテープ２３により第１被係合部２１が構成される。より具体的には、ループテープ２３は、図１４に示すように、第２端部１２の近傍におけるペット用吸収性物品１の幅方向ＷＤの略中央部に配置される。また、ループテープ２３のペット用吸収性物品１の幅方向ＷＤに沿う方向の長さは、フックテープ７の長手方向の長さよりも短く構成される。ループテープ２３のペット用吸収性物品１の長手方向ＬＤに沿う方向の長さは、フックテープ７の幅方向（ペット用吸収性物品１の長手方向ＬＤに沿う方向）の長さよりも長く構成される。
ループテープ２３は、帯状の基部と、この基部の一方の面に設けられる複数のループ部と、を備える。ループテープ２３は、複数のループ部が形成された面が外面となるように、裏面シート３１に取り付けられる。
また、第３実施形態では、第２被係合部２２は、ペット用吸収性物品１の幅方向ＷＤにおけるループテープ２３の両外側に位置する裏面シート３１により構成される。
【００６４】
第３実施形態のペット用吸収性物品１によれば、上述した（１）、（２）及び（４）の作用効果を奏する他、以下のような作用効果を奏する。
【００６５】
第２端部１２の近傍における裏面シート３１側にループテープ２３を配置し、このループテープ２３により第１被係合部２１を構成した。これにより、第１被係合部２１を構成する素材の自由度を向上できるので、フックテープ７に対する係合力のより大きな素材によりループテープ２３を構成することで、第１端部１１と第２端部１２とを、より安定的に係合させられる。また、ループテープ２３として耐久性に優れた素材を用いることで、第１端部１１と第２端部１２とを繰り返し係合させた場合であっても、第１被係合部２１を傷みにくくできる。更に、裏面シート３１のフックテープ７に対する係合力に依存することなく第１被係合部２１を構成できるので、裏面シート３１の素材の選択の自由度を向上させられる。
【００６６】
以上、本発明の好ましい各実施形態について説明したが、本発明は、上述した各実施形態に制限されるものではなく、適宜変更が可能である。
例えば、第１実施形態〜第３実施形態では、第１サイドシート５１及び第２サイドシート５２を、撥水性又は疎水性の不織布により構成したが、これに限らない。即ち、第１サイドシート及び第２サイドシートを、親水性の不織布により構成してもよい。
【００６７】
また、第１実施形態〜第３実施形態では、ペット用吸収性物品１を、第１サイドシート５１及び第２サイドシート５２を含んで構成したが、これに限らない。即ち、ペット用吸収性物品１を、第１サイドシート又は第２サイドシートの一方のみを含んで構成してもよい。
【００６８】
例えば、第１実施形態〜第３実施形態では、第１実施形態〜第３実施形態では、裏面層３を、裏面シート３１及び防水シート３２の２層により構成したが、これに限らない。即ち、裏面層を、裏面シート又は防水シートのみにより構成してもよい。
【００６９】
上述した各実施形態では、様々な構成要素が矩形状又は実質的に矩形状のものとして記載されている。しかし、本発明はこれに限られない。即ち、楕円形、砂時計型等のさらなる実施形態が考えられる。
【００７０】
更に、係合部材は、フックテープとして説明されているが、本発明はこれに限られない。即ち、他のタイプの剥離可能な係合部材のさらなる実施形態が考えられる。
本出願は、日本出願２００１−１２４７６２の利益を主張し、その開示の全体がここに参照として組み入れられる。
【符号の説明】
【００７１】
１    ペット用吸収性物品
２    表面シート
３    裏面層
４    吸収体
７  フックテープ（係合部材）
１１  第１端部
１２  第２端部
１７  後側側部（第１側部）
１８  前側側部（第２側部）
２１  第１被係合部
２２  第２被係合部
２３  ループテープ（ループ部材、第１被係合部）
５１  サイドシート（第１サイドシート）
５２  サイドシート（第２サイドシート）
７２  フック部
【図１】
0005636121.tif 000002
【図２】
0005636121.tif 000003
【図３】
0005636121.tif 000004
【図４】
0005636121.tif 000005
【図５】
0005636121.tif 000006
【図６】
0005636121.tif 000007
【図７】
0005636121.tif 000008
【図８】
0005636121.tif 000009
【図９】
0005636121.tif 000010
【図１０】
0005636121.tif 000011
【図１１】
0005636121.tif 000012
【図１２】
0005636121.tif 000013
【図１３】
0005636121.tif 000014
【図１４】
0005636121.tif 000015
【図１５】
0005636121.tif 000016